(57)【要約】      （修正有）【課題】構造設計が合理的で、使用、携帯、洗浄のいずれも実施されやすく、密封効果が高く、容易に脱着でき、開閉ボタン付きの保温水筒の蓋体としての使用、及び同類製品の構造改良に適する開閉ボタン付きフリップ式保温水筒の蓋体を提供する。【解決手段】第１蓋体１から張り出した開口部スリーブ２の一側は、第１蓋体の弾性フック部材に制限フランジによって係止され、開口部スリーブの他側に制限溝が設置され、開口部スリーブは弾性フック部材と制限溝で第１蓋体の蓋開口に固定され、前記開閉ボタン機構は、第１蓋体の一側にあるボタン収納部に設置され、開閉ボタン機構の押しボタン６が一端にある第１係合フック部材によって第２蓋体８の一側にある第２係合フック部材に係止され、押しボタンの他端はバネ５によって第１蓋体のボタン収納部に当接され、押しボタンの中央にある揺動孔が第２ピン軸によって第１蓋体のボタン収納部に固定される。【選択図】図１
0003218298.tif 000002
【実用新案登録請求の範囲】
【請求項１】
第１蓋体（１）と第２蓋体（８）を備え、第２蓋体の一側は一側の第１ピン軸によって第１蓋体にヒンジ接続され、ヒンジ部位に捩じりバネ（９）が設けられ、第２蓋体の他側は第１蓋体の他側にある開閉ボタン機構で開閉され、第２蓋体内にある中心ブッシュに、第１蓋体内の開口部スリーブ（２）の吐水孔に当接されて密封する密封栓（７）が套設され、開口部スリーブの一端は第１蓋体の蓋開口から張り出し、開口部スリーブの他端の係止部の外輪にはシールリング（３）が設けられた開閉ボタン付きフリップ式保温水筒の蓋体であって、
前記第１蓋体（１）の開閉ボタン機構の一側の内輪の蓋開口に弾性フック部材が設けられ、第１蓋体から張り出した開口部スリーブ（２）の一側は、第１蓋体の弾性フック部材に第１蓋体内の開口部スリーブの当該側の制限フランジによって係止され、制限フランジに対称的となる開口部スリーブの他側に制限溝が設置され、第１蓋体から張り出した開口部スリーブの他側は、制限溝によって第１蓋体の蓋開口に固定され、すなわち、第１蓋体から張り出した開口部スリーブは弾性フック部材と制限溝で第１蓋体の蓋開口に固定され、
前記開閉ボタン機構は、第１蓋体の一側にあるボタン収納部に設置され、開閉ボタン機構の押しボタン（６）が一端にある第１係合フック部材によって第２蓋体（８）の一側にある第２係合フック部材に係止され、押しボタンの他端はバネ（５）によって第１蓋体のボタン収納部に当接され、押しボタンの中央にある揺動孔が第２ピン軸によって第１蓋体のボタン収納部に固定され、
前記第１蓋体のボタン収納部の外輪の一側にロックボタン収納部が設けられ、ロックボタン収納部内にロックボタン（４）が設けられ、ロックボタンの一端にあるロック部が第１蓋体のボタン収納部内にある押しボタンの係止溝に挿入されることを特徴とする開閉ボタン付きフリップ式保温水筒の蓋体。
【請求項２】
前記ロックボタン（４）の両側に対称的に設置された引掛け部とロックボタン収納部のノッチとが係合され、第１蓋体（１）のロックボタン収納部に凸起したロック突起が設けられ、ロック突起に対応したロックボタンに凸起した係止突起が設けられ、ロックボタンが上下移動することで押しボタン（６）をロックし、ロックボタンの外輪にボタン摺動溝が設けられることを特徴とする請求項１に記載の開閉ボタン付きフリップ式保温水筒の蓋体。
【請求項３】
前記押しボタン（６）の第１係合フック部材に、第１蓋体（１）の弾性フック部材へ延びている溝付きフック部材が設けられ、押しボタンの溝付きフック部材が弾性フック部材の上方に位置し、第２蓋体（８）の第２係合フック部材が溝付きフック部材の溝孔に挿入されることを特徴とする請求項２に記載の開閉ボタン付きフリップ式保温水筒の蓋体。
【請求項４】
前記開口部スリーブ（２）の制限フランジは開口部スリーブの両側の外輪に対称的に設置され、開口部スリーブの制限フランジの下方の対称両側と他側にタグが設けられ、タグと制限フランジにおけるリングリブから前記制限溝が構成され、タグの下方にある開口部スリーブの外輪に密封リブが設けられ、シールリング（３）は開口部スリーブの密封リブに設置され、第１蓋体（１）と第２蓋体（８）が係合されるとき、開口部スリーブのタグは第１蓋体の弾性フック部材と内輪の制限リングの下方に位置することを特徴とする請求項１に記載の開閉ボタン付きフリップ式保温水筒の蓋体。
【請求項５】
前記開口部スリーブ（２）は、開口部スリーブのシールリング（３）の一端の係止部が円形で、他端の係止部の第１ピン軸側が平行縁部で、平行縁部の高さが対称的な他側にある円弧状縁部より低い異形スリーブであり、第１蓋体（１）の第２蓋体（８）側の蓋開口形状が開口部スリーブの平行縁部側の形状に対応することを特徴とする請求項１に記載の開閉ボタン付きフリップ式保温水筒の蓋体。
【請求項６】
前記開口部スリーブ（２）の両端の係止部間に仕切り層が設置され、開口部スリーブの吐水孔が仕切り層の中心に位置し、吐水口の直径が仕切り層の直径より小さく、第２蓋体（８）の中心ブッシュに嵌装された密封栓（７）の直径が吐水口の直径より大きいことを特徴とする請求項１に記載の開閉ボタン付きフリップ式保温水筒の蓋体。
【考案の詳細な説明】
【技術分野】
【０００１】
本考案は、開閉ボタン付き蓋体、特に開閉ボタン付きフリップ式保温水筒の蓋体に関する。
【背景技術】
【０００２】
水筒は日常生活において液体を収納する容器であり、手で把持しやすくするとともに液体を保温するために、高さが幅より大きい円筒体形状を採用するのが一般的である。従来の一部の保温水筒は２つの蓋体と２つの吐水口が設けられ、このような水筒の例として、出願番号２０１６２１２３３０８９．７、授権公告日２０１７．０９．１５、考案の名称「分解洗浄に容易なボタンロック型水筒」が開示された中国特許文献が挙げられる。該水筒は、蓋体が、蓋受け部によって水筒本体の開口部に接続され、蓋体の一側が蓋受け部にヒンジ接続されて、蓋体の他側に開閉ボタンユニットが設けられるものであって、前記蓋受け部の中心孔に吐水部材が設けられ、吐水部材の吐水端が蓋受け部の中心孔から張り出し且つ蓋受け部の中心孔に制限され、制限部位は凹凸ウェッジ部材を介して制限リングリブと締まり嵌めするように固定され且つシールリングが設けられ、シールリングは吐水部材の該部位の孔口の外輪に設置され、凸起したシールリングリブとシールリングが水筒本体の開口部内に延びこみ、蓋体は接続部品で蓋体に係止され、接続部品はシール部材と套設され、蓋体と蓋受け部が開閉ボタンユニットで係止してロックされたと、シール部材は吐水部材の中心にある吐水孔及び通気孔に当接されて密封し、吐水部材の蓋受け部からの張り出し端に、一側が高くて対称的な他側が低い縁部が設置され、吐水孔と通気孔は縁部内の腰形状の凹中心に設置されることを特徴とする。上記蓋体では、吐水部材の回転がよく発生し、開閉ボタン構造の設計が簡単であるため、その構造には改良する余裕がある。
【考案の概要】
【考案が解決しようとする課題】
【０００３】
本考案の目的は、本分野に属する開閉ボタン付きフリップ式保温水筒の蓋体を提供し、従来の同類の製品の、構造設計の欠陥による密封性の低下、および開閉ボタン機構の設計の欠点を解決することにある。この目的は、下記技術案によって達成される。
【課題を解決するための手段】
【０００４】
第１蓋体と第２蓋体を備え、第２蓋体の一側は一側の第１ピン軸によって第１蓋体にヒンジ接続され、ヒンジ部位に捩じりバネが設けられ、第２蓋体の他側は第１蓋体の他側にある開閉ボタン機構で開閉され、第２蓋体内にある中心ブッシュに、第１蓋体内の開口部スリーブの吐水孔に当接されて密封する密封栓が套設され、開口部スリーブの一端は第１蓋体の蓋開口から張り出し、開口部スリーブの他端の係止部の外輪にはシールリングが設けられた開閉ボタン付きフリップ式保温水筒の蓋体であって、前記第１蓋体の開閉ボタン機構の一側の内輪の蓋開口に弾性フック部材が設けられ、第１蓋体から張り出した開口部スリーブの一側は、第１蓋体の弾性フック部材に第１蓋体内の開口部スリーブの当該側の制限フランジによって係止され、制限フランジに対称的となる開口部スリーブの他側に制限溝が設置され、第１蓋体から張り出した開口部スリーブの他側は、制限溝によって第１蓋体の蓋開口に固定され、すなわち、第１蓋体から張り出した開口部スリーブは弾性フック部材と制限溝で第１蓋体の蓋開口に固定され、前記開閉ボタン機構は、第１蓋体の一側にあるボタン収納部に設置され、開閉ボタン機構の押しボタンが一端にある第１係合フック部材によって第２蓋体の一側にある第２係合フック部材に係止され、押しボタンの他端はバネによって第１蓋体のボタン収納部に当接され、押しボタンの中央にある揺動孔が第２ピン軸によって第１蓋体のボタン収納部に固定され、前記第１蓋体のボタン収納部の外輪の一側にロックボタン収納部が設けられ、ロックボタン収納部内にロックボタンが設けられ、ロックボタンの一端にあるロック部が第１蓋体のボタン収納部内にある押しボタンの係止溝に挿入されることを構造設計の特徴とする。該保温水筒の蓋体では、第１蓋体が水筒本体の開口部に螺合され締め付けられたとき、開口部スリーブのシールリングが水筒本体の内輪の開口部に当接されて密封し、また、第２蓋体と第１蓋体が開閉ボタン機構で係止されたとき、第２蓋体の密封栓は締まり嵌めするように開口部スリーブの吐水孔を塞ぐ。ロックボタンを押して摺動させると、ロックボタンのロック部が押しボタンから離脱して、続いて押しボタンのバネ端を押すと、押しボタンの第１係合フック部材を第２蓋体の第２係合フック部材から離脱させ、第２蓋体を開くことができる。
【０００５】
前記ロックボタンの両側に対称的に設置された引掛け部とロックボタン収納部のノッチとが係合され、第１蓋体のロックボタン収納部に凸起したロック突起が設けられ、ロック突起に対応したロックボタンに凸起した係止突起が設けられ、ロックボタンが上下移動することで押しボタンをロックし、ロックボタンの外輪にボタン摺動溝が設けられる。上記構造は、上下移動可能な構造形態であるが、左右移動によるロック形態としてもよい。
【０００６】
前記押しボタンの第１係合フック部材に、第１蓋体の弾性フック部材へ延びている溝付きフック部材が設けられ、押しボタンの溝付きフック部材が弾性フック部材の上方に位置し、第２蓋体の第２係合フック部材が溝付きフック部材の溝孔に挿入される。上記構造を有する押しボタンは、押しボタンの使用に影響を与えないとともに、第２蓋体、第１蓋体や開口部スリーブの使用にも影響しない。
【０００７】
前記開口部スリーブの制限フランジは開口部スリーブの両側の外輪に対称的に設置され、開口部スリーブの制限フランジの下方の対称両側と他側にタグが設けられ、タグと制限フランジにおけるリングリブから前記制限溝が構成され、タグの下方にある開口部スリーブの外輪に密封リブが設けられ、シールリングは開口部スリーブの密封リブに設置され、第１蓋体と第２蓋体が係合されるとき、開口部スリーブのタグは第１蓋体の弾性フック部材と内輪の制限リングの下方に位置する。第１蓋体が水筒本体に螺合され締め付けられるとき、開口部スリーブのシールリングは、第１蓋体がタグに当接されることによって、水筒本体の吐水口を密封する。
【０００８】
前記開口部スリーブは、開口部スリーブのシールリングの一端の係止部が円形で、他端の係止部の第１ピン軸側が平行縁部で、平行縁部の高さが対称的な他側にある円弧状縁部より低い異形スリーブであり、第１蓋体の第２蓋体側の蓋開口形状が開口部スリーブの平行縁部側の形状に対応する。上記構造では、開口部スリーブは形状に合わせて第１蓋体から張り出すことで、開口部スリーブの使用時の相対回転を防止し、また、開口部スリーブを介して簡便に飲用したり液体を案内したりすることができる。
【０００９】
前記開口部スリーブの両端の係止部間に仕切り層が設置され、開口部スリーブの吐水孔が仕切り層の中心に位置し、吐水口の直径が仕切り層の直径より小さく、第２蓋体の中心ブッシュに嵌装された密封栓の直径が吐水口の直径より大きい。上記構造は、開口部スリーブにおける吐水口を更に密封することに有利である。
【考案の効果】
【００１０】
本考案は、構造設計が合理的で、使用、携帯、洗浄のいずれも実施されやすく、密封効果が高く、容易に脱着でき、開閉ボタン付きの保温水筒の蓋体としての使用、及び同類製品の構造改良に適する。
【図面の簡単な説明】
【００１１】
【図１】本考案の解体構造模式図である。
【図２】図１の立体構造模式図である。
【図３】図２の断面構造模式図である。
【考案を実施するための形態】
【００１２】
以下、図面を参照しながら、本考案の構造と使用についてさらに説明する。図１〜図３に示されるように、該保温水筒の蓋体は、第１蓋体１と第２蓋体８を備え、第２蓋体の一側は一側の第１ピン軸によって第１蓋体にヒンジ接続され、ヒンジ部位に捩じりバネ９が設けられ、第２蓋体の他側は第１蓋体の他側にある開閉ボタン機構で開閉される。第２蓋体内にある中心軸に、第１蓋体内の開口部スリーブ２の吐水孔に当接されて密封する密封栓７が嵌装される。開口部スリーブの一端は第１蓋体の蓋開口から張り出し、開口部スリーブの他端の係止部の外輪にシールリング３が設けられる。第１蓋体の開閉ボタン機構の一側の内輪の蓋開口に弾性フック部材が設けられ、第１蓋体から張り出した開口部スリーブの一側は、第１蓋体の弾性フック部材に第１蓋体内の開口部スリーブの当該側の制限フランジによって係止され、制限フランジに対称的となる開口部スリーブの他側に制限溝が設置され、第１蓋体から張り出した開口部スリーブの他側は、制限溝によって第１蓋体の蓋開口に固定され、すなわち、第１蓋体から張り出した開口部スリーブは弾性フック部材と制限溝で第１蓋体の蓋開口に固定される。開閉ボタン機構は、第１蓋体の一側にあるボタン収納部に設置され、開閉ボタン機構の押しボタン６が一端にある第１係合フック部材によって第２蓋体の一側にある第２係合フック部材に係止され、押しボタンの他端はバネ５によって第１蓋体のボタン収納部に当接され、押しボタンの中央にある揺動孔が第２ピン軸によって第１蓋体のボタン収納部に固定される。前記第１蓋体のボタン収納部の外輪の一側にロックボタン収納部が設けられ、ロックボタン収納部内にロックボタン４が設けられ、ロックボタンの一端にあるロック部が第１蓋体のボタン収納部内にある押しボタンの係止溝に挿入される。ロックボタンの両側に対称的に設置された引掛け部とロックボタン収納部のノッチとが係合される。第１蓋体のロックボタン収納部に凸起したロック突起が設けられ、ロック突起に対応したロックボタンに凸起した係止突起が設けられる。ロックボタンが上下移動することで押しボタンをロックし、ロックボタンの外輪にボタン摺動溝が設けられる。押しボタンの第１係合フック部材に、第１蓋体の弾性フック部材へ延びている溝付きフック部材が設けられ、押しボタンの溝付きフック部材が弾性フック部材の上方に位置し、第２蓋体の第２係合フック部材が溝付きフック部材の溝孔に挿入される。
【００１３】
さらに、開口部スリーブの制限フランジは開口部スリーブの両側の外輪に対称的に設置され、開口部スリーブの制限フランジの下方の対称両側と他側にタグが設けられ、タグと制限フランジにおけるリングリブから前記制限溝が構成される。タグの下方にある開口部スリーブの外輪に密封リブが設けられ、シールリングは開口部スリーブの密封リブに設置される。第１蓋体と第２蓋体が係合されるとき、開口部スリーブのタグは第１蓋体の弾性フック部材と内輪の制限リングの下方に位置する。開口部スリーブは、開口部スリーブのシールリングの一端の係止部が円形で、他端の係止部の第１ピン軸側が平行縁部で、平行縁部の高さが対称的な他側にある円弧状縁部より低い異形スリーブであり、第１蓋体の第２蓋体側の蓋開口形状が開口部スリーブの平行縁部側の形状に対応する。開口部スリーブ的の両端の係止部間に仕切り層が設置され、開口部スリーブの吐水孔が仕切り層の中心に位置し、吐水口の直径が仕切り層の直径より小さく、第２蓋体の中心ブッシュに嵌装された密封栓の直径が吐水口の直径より大きい。
【００１４】
使用時、まず、ロックボタンで押しボタンに対する制限とロックを解除し、押しボタンを押すと、第２蓋体が開かれる。第１蓋体内にある開口部スリーブが水筒本体の開口部の内輪に設置され、第１蓋体の蓋開口が開口部スリーブに套設され、「ポン」という音が聞こえると、第１蓋体のクリップが開口部スリーブに係止され、第１蓋体が水筒本体に螺合され締め付けられ、このように、開口部スリーブのシールリングは水筒本体の開口部と第１蓋体との間を密封する。開口部スリーブの取り外しは、第１蓋体の弾性フック部材の締まり嵌めを解除することによって実現する。
【符号の説明】
【００１５】
１  第１蓋体
２  開口部スリーブ
３  シールリング
４  ロックボタン
５  バネ
６  押しボタン
７  密封栓
８  第２蓋体
９  捩じりバネ。
【図１】
0003218298.tif 000003
【図２】
0003218298.tif 000004
【図３】
0003218298.tif 000005